(57)【要約】【課題】  スロットマシンのリールとともに回転させても十分な強度を有する、リールのシンボル位置を直接検出できる帯状体、メカニカルスロットマシンのシンボル位置検出器用ホイール、これを用いたメカニカルスロットマシンのシンボル位置検出器およびメカニカルスロットマシンを提供すること。【解決手段】  メカニカルスロットマシンのリールに施された個々のシンボルのシンボル位置を検出すべく、前記リールの回転軸を同心軸として前記リールとともに回転可能なホイールの周縁部に沿って環状に設けられる帯状体であって、前記帯状体には、互いに属性の異なる領域を備え、前記領域の境界点は、前記帯状体の長さ方向の一端側から他端側に向かうにしたがい、前記帯状体の幅方向の一端側から他端側に漸次近接または離間する。【選択図】  図３
2005177340.tif 000002
【特許請求の範囲】
【請求項１】
メカニカルスロットマシンのリールに施された個々のシンボルのシンボル位置を検出すべく、
前記リールの回転軸を同心軸として前記リールとともに回転可能なホイールの周縁部に沿って環状に設けられる帯状体であって、
前記帯状体には、互いに属性の異なる領域を備え、
前記領域の境界点は、前記帯状体の長さ方向の一端側から他端側に向かうにしたがい、前記帯状体の幅方向の一端側から他端側に漸次近接または離間することを特徴とする帯状体。
【請求項２】
前記属性は光学センサで識別可能な明度、色度もしくは光透過度または磁気センサで識別可能な帯磁度で定義されるものであることを特徴とする請求項１記載の帯状体。
【請求項３】
メカニカルスロットマシンのリールに施された個々のシンボルのシンボル位置を検出すべく、
前記リールの回転軸を同心軸として前記リールとともに回転可能なホイールの周縁部に沿って環状に設けられる帯状体であって、
前記帯状体には、互いに属性の異なる領域を備え、
前記領域の境界点は、前記帯状体の幅方向の位置と長さ方向の位置とが一対一で対応することを特徴とする帯状体。
【請求項４】
メカニカルスロットマシンのリールの回転軸を同心軸として前記リールとともに回転可能なホイールであって、その周縁部に沿って環状に帯状部を有し、
前記帯状部には、互いに属性の異なる領域を備え、
前記領域の境界点は、前記帯状部の長さ方向の一端側から他端側に向かうにしたがい、前記帯状部の幅方向の一端側から他端側に漸次近接または離間することを特徴とするメカニカルスロットマシンのシンボル位置検出器用ホイール。
【請求項５】
前記属性は光学センサで識別可能な明度、色度もしくは光透過度または磁気センサで識別可能な帯磁度で定義されるものであることを特徴とする請求項４記載のメカニカルスロットマシンのシンボル位置検出器用ホイール。
【請求項６】
メカニカルスロットマシンのリールに施されたシンボルの個々の位置を逐次検出するものであって、
前記リールの回転軸を同心軸として前記リールとともに回転可能なホイールと、
前記ホイールの周縁部に沿って前記ホイールに帯状に設けられ、互いに属性の異なる領域を備えて前記領域の境界点が前記帯状長さ方向一端側から他端側に向かうにしたがい、前記帯状幅方向一端側から他端側に漸次近接または離間する構成とした帯状部と、
前記帯状部に近接して設けられ前記境界点の前記帯状部の幅方向の位置を逐次検出するセンサと、
前記帯状部の幅方向における前記境界点それぞれの位置と前記シンボルのそれぞれとを対応付けるデータを予め記憶した記憶部と、
検出された前記境界点の前記帯状部の幅方向の位置を前記データと対照することで検出した境界点の位置に対応するシンボルを特定するシンボル特定部と、
を備えることを特徴とするメカニカルスロットマシンのシンボル位置検出器。
【請求項７】
前記異なる属性は異なる明度、色度もしくは光透過度または帯磁度で定義されるものであって、かつ前記センサは前記異なる明度、色度もしくは光透過度または帯磁度をそれぞれ識別可能な光学センサまたは磁気センサであることを特徴とする請求項６記載のメカニカルスロットマシンのシンボル位置検出器。
【請求項８】
請求項６または請求項７に記載のメカニカルスロットマシンのシンボル位置検出器を備えたメカニカルスロットマシン。
【発明の詳細な説明】
【技術分野】
【０００１】
本発明は、スロットマシンのリールのシンボル位置を認識する帯状体、メカニカルスロットマシンのシンボル位置検出器用ホイール、メカニカルスロットマシンのシンボル位置検出器およびメカニカルスロットマシンに関する。
【背景技術】
【０００２】
従来から、回転軸に固定した円板に螺旋状のスリットを穿設し光の透過位置を光学センサで検出することで回転軸の回転角を検出する角度センサが提案されている（たとえば、特許文献１）。
【０００３】
特許文献１に記載されている角度センサは、螺旋状のスリットを穿設した円板を回転軸に固定し、回転軸が回転すると、光学センサの発光部とそれに向かい合わせた受光部の間を円板のスリットが通過するように構成されている。受光部としては、直線状の位置検出素子が用いられている。円板が回転すると、受光部の受光位置が変化することを利用し、受光位置により円板の回転位置を検出する。
【特許文献１】特開昭６０−２２５０２４号公報
【特許文献２】米国特許第５，６５０，３７３号明細書
【特許文献３】米国特許第６，２６８，６０１号明細書
【発明の開示】
【発明が解決しようとする課題】
【０００４】
上記のように、回転軸に円板を設け、回転軸の回転角または円板の回転位置を検出する装置が提案されている。
【０００５】
しかしながら、上記特許文献１に記載の装置により、スロットマシンのリールのシンボル位置検出の場合のように３６０°にわたって、リールに施された個々のシンボルのシンボル位置を検出しようとする場合には、螺旋状のスリットを３６０°にわたって設ける必要があり、円板を回転軸とともに回転させたときに変形しない程度の強度を維持するのが困難である。変形が生じた場合には、角度センサとしての精度が低くなるばかりでなく、角度センサ自体が破壊されることになりかねない。
【０００６】
円板の強度を維持するために、スリットに一定間隔で梁を設けた角度センサも知られているが、梁が光学センサの位置にあるときは、円板の回転位置を検出することができない。
【０００７】
本発明は、スロットマシンのリールとともに回転させても十分な強度を有する、リールのシンボル位置を直接検出できる帯状体、メカニカルスロットマシンのシンボル位置検出器用ホイール、これを用いたメカニカルスロットマシンのシンボル位置検出器およびメカニカルスロットマシンを提供することを目的とする。
【課題を解決するための手段】
【０００８】
（１）上記の目的を達成するため、本発明の帯状体は、メカニカルスロットマシンのリールに施された個々のシンボルのシンボル位置を検出すべく、前記リールの回転軸を同心軸として前記リールとともに回転可能なホイールの周縁部に沿って環状に設けられる帯状体であって、前記帯状体には、互いに属性の異なる領域を備え、前記領域の境界点は、前記帯状体の長さ方向の一端側から他端側に向かうにしたがい、前記帯状体の幅方向の一端側から他端側に漸次近接または離間することを特徴としている。
【０００９】
このように、本発明に係る帯状体をシンボル位置の検出に用いる際には環状にして、ホイールに固定して用いる。このような構造をとることにより、帯状体を回転させても、変形しないように強度を維持することができる。また、帯状体として作製し、帯状体にスリットを設ける必要もないため、作製および取り扱いを容易にし、属性の異なる領域を作製するのを容易にすることができる。
【００１０】
また、上記のように、本発明では、帯状体の属性の異なる領域の境界が、帯状体の長さ方向に沿って帯状体の幅方向の一端側から他端側に漸次近接または離間することにより、帯状体の属性の異なる領域の幅方向の境界点の位置を検出するだけで、リールを回転させることなく、リールのシンボル位置を特定することができる。したがって、基準位置となる部分を帯状体に設ける必要をなくすことができる。また、電源を入れた直後でもリールを回転させずに現在のリールのシンボル位置を検出することができる。また、現在のリールのシンボル位置を検出する際に、帯状体の基準の位置と現在の位置との差から、リールのシンボル位置を算出する処理を不要とすることができる。また、現在のリールのシンボル位置を直接検出できるため、ステッピングモータのような緻密なモータの制御によりリールの停止位置を制御する必要はなく、現在のリールのシンボル位置をモニターしながら、停止制御することも可能である。したがって、リールが一定の回転速度に達しなくても、リールの駆動の制御が可能となる。また、直接、帯状体の異なる領域の境界点の幅方向の位置がリールのシンボル位置に対応しているため、筐体が振動することにより実際の位置が検出された位置からずれても簡単に微調整できる。
【００１１】
また、帯状体の属性の異なる領域の境界点は、その長さ方向にそって、連続的な軌跡を有するため、精度よくリールのシンボル位置を検出することができる。
【００１２】
（２）また、本発明の帯状体は、前記属性は光学センサで識別可能な明度、色度もしくは光透過度または磁気センサで識別可能な帯磁度で定義されるものであることを特徴としている。
【００１３】
これにより、属性が明度である場合には、たとえば白色の帯状体に黒色のインクにより明度が異なる領域のパターンを印刷するだけで、容易に本発明に係る帯状体を作製することができる。また、属性が色度である場合には、たとえば帯状体にカラーの塗料によりパターンを塗装するだけで、容易に本発明に係る帯状体を作製することができる。また、属性が光透過度である場合には、たとえば透明のプラスチックフィルムを材料とする帯状体に黒色のインクによりパターンを印刷するだけで、容易に本発明に係る帯状体を作製することができる。また、属性が帯磁度である場合には、帯状体自体が磁気を帯びているため、読み取り機能のみがあれば十分にセンサを構成することができる。
【００１４】
（３）また、本発明の帯状体は、メカニカルスロットマシンのリールに施された個々のシンボルのシンボル位置を検出すべく、前記リールの回転軸を同心軸として前記リールとともに回転可能なホイールの周縁部に沿って環状に設けられる帯状体であって、前記帯状体には、互いに属性の異なる領域を備え、前記領域の境界点は、前記帯状体の幅方向の位置と長さ方向の位置とが一対一で対応することを特徴としている。
【００１５】
このように、本発明のメカニカルスロットマシンのシンボル位置検出器においては、メカニカルスロットマシンのリールの回転軸を同心軸として回転するホイールの周縁部に沿って環状に帯状部を設けている。このような構造をとることにより、帯状部を回転させても、変形しないように強度を維持することができる。また、帯状部にスリットを設ける必要もないため、作製および取り扱いを容易にし、属性の異なる領域を作製するのを容易にすることができる。
【００１６】
また、帯状体の幅方向の境界点の位置を検出するだけで、リールを回転させることなく、リールのシンボル位置を特定することができる。したがって、基準位置となる部分を帯状体に設ける必要をなくすことができる。また、電源を入れた直後でもリールを回転させずに現在のリールのシンボル位置を検知することができる。また、シンボルの現在位置を検出する際に、帯状体の基準の位置と現在の位置との差から、リールのシンボル位置を算出する処理を不要とすることができる。また、現在のリールのシンボル位置を直接検出できるため、ステッピングモータのような緻密なモータの制御によりリールの停止位置を制御する必要はなく、現在のリールのシンボル位置をモニターしながら、停止制御することも可能である。したがって、リールが一定の回転速度に達しなくても、リールの駆動の制御が可能となる。
【００１７】
また、直接、帯状体の属性が異なる領域の境界点の幅方向の位置がリールのシンボル位置に対応しているため、筐体が振動することにより実際の位置が検出された位置からずれても簡単に微調整できる。
【００１８】
また、本発明の帯状体の境界点の、帯状体の幅方向の位置と長さ方向の位置とが一対一で対応するため、精度よくリールのシンボル位置を検出することができる。
【００１９】
（４）また、本発明のメカニカルスロットマシンのシンボル位置検出器用ホイールは、メカニカルスロットマシンのリールの回転軸を同心軸として前記リールとともに回転可能なホイールであって、その周縁部に沿って環状に帯状部を有し、前記帯状部には、互いに属性の異なる領域を備え、前記領域の境界点は、前記帯状部の長さ方向の一端側から他端側に向かうにしたがい、前記帯状部の幅方向の一端側から他端側に漸次近接または離間することを特徴としている。
【００２０】
このように、本発明のメカニカルスロットマシンのシンボル位置検出器用ホイールにおいては、メカニカルスロットマシンのリールの回転軸を同心軸として回転するホイールの周縁部に沿って環状に帯状部を設けている。このような構造をとることにより、ホイールを回転させても、変形しないように強度を維持することができる。また、帯状部にスリットを設ける必要もないため、作製および取り扱いを容易にし、属性の異なる領域を作製するのを容易にすることができる。
【００２１】
また、上記のように、本発明では、帯状部の属性の異なる領域の境界点が、帯状部の長さ方向に沿って帯状部の幅方向の一端側から他端側に漸次近接または離間することにより、帯状部の幅方向の境界点の位置を検出するだけで、リールを回転させることなく、リールのシンボル位置を特定することができる。したがって、基準位置となる部分を帯状部に設ける必要をなくすことができる。また、電源を入れた直後でもリールを回転させずに現在のリールのシンボル位置を検出することができる。また、現在のリールのシンボル位置を検出する際に、帯状部の基準の位置と現在の位置との差から、リールのシンボル位置を算出する処理を不要とすることができる。また、現在のリールのシンボル位置を直接検出できるため、ステッピングモータのような緻密なモータの制御によりリールの停止位置を制御する必要はなく、現在のリールのシンボル位置をモニターしながら、停止制御することも可能である。したがって、リールが一定の回転速度に達しなくても、リールの駆動の制御が可能となる。また、直接、帯状部の異なる領域の境界点の幅方向の位置がリールのシンボル位置に対応しているため、筐体が振動することにより実際の位置が検出された位置からずれても簡単に微調整できる。
【００２２】
また、帯状部の属性の異なる領域の境界点は、その長さ方向にそって、連続的な軌跡を有するため、精度よくリールのシンボル位置を検出することができる。
【００２３】
（５）また、本発明のメカニカルスロットマシンのシンボル位置検出器用ホイールは、前記属性は光学センサで識別可能な明度、色度もしくは光透過度または磁気センサで識別可能な帯磁度で定義されるものであることを特徴としている。
【００２４】
これにより、属性が明度である場合には、たとえば白色の帯状部に黒色のインクにより明度が異なる領域のパターンを印刷するだけで、容易に本発明に係るシンボル位置検出器用ホイールの帯状部を作製することができる。また、属性が色度である場合には、たとえば帯状部にカラーの塗料によりパターンを塗装するだけで、容易に本発明に係るシンボル位置検出器用ホイールの帯状部を作製することができる。また、属性が光透過度である場合には、たとえば透明のプラスチックフィルムを材料とする帯状部に黒色のインクによりパターンを印刷するだけで、容易に本発明に係るシンボル位置検出器用ホイールの帯状部を作製することができる。また、属性が帯磁度である場合には、帯状部自体が磁気を帯びているため、読み取り機能のみがあれば十分にセンサを構成することができる。
【００２５】
（６）また、本発明のメカニカルスロットマシンのシンボル位置検出器は、メカニカルスロットマシンのリールに施されたシンボルの個々の位置を逐次検出するものであって、前記リールの回転軸を同心軸として前記リールとともに回転可能なホイールと、前記ホイールの周縁部に沿って前記ホイールに帯状に設けられ、互いに属性の異なる領域を備えて前記領域の境界点が前記帯状長さ方向一端側から他端側に向かうにしたがい、前記帯状幅方向一端側から他端側に漸次近接または離間する構成とした帯状部と、前記帯状部に近接して設けられ前記境界点の前記帯状部の幅方向の位置を逐次検出するセンサと、前記帯状部の幅方向における前記境界点それぞれの位置と前記シンボルのそれぞれとを対応付けるデータを予め記憶した記憶部と、検出された前記境界点の前記帯状部の幅方向の位置を前記データと対照することで検出した境界点の位置に対応するシンボルを特定するシンボル特定部と、を備えることを特徴としている。
【００２６】
このように、本発明のメカニカルスロットマシンのシンボル位置検出器においては、メカニカルスロットマシンのリールの回転軸を同心軸として回転するホイールの周縁部に沿って環状に帯状部を設けている。このような構造をとることにより、帯状部を回転させても、変形しないように強度を維持することができる。また、帯状部にスリットを設ける必要もないため、作製および取り扱いを容易にし、属性の異なる領域を作製するのを容易にすることができる。
【００２７】
また、上記のように、本発明では、帯状部の属性の異なる領域の境界が、帯状部の長さ方向に沿って帯状部の幅方向の一端側から他端側に漸次近接または離間することにより、帯状部の幅方向の境界点の位置を検出するだけで、リールを回転させることなく、リールのシンボル位置を特定することができる。したがって、基準位置となる部分を帯状部に設ける必要をなくすことができる。また、電源を入れた直後でもリールを回転させずに現在のリールのシンボル位置を検出することができる。また、現在のリールのシンボル位置を検出する際に、帯状部の基準の位置と現在の位置との差から、リールのシンボル位置を算出する処理を不要とすることができる。また、現在のリールのシンボル位置を直接検出できるため、ステッピングモータのような緻密なモータの制御によりリールの停止位置を制御する必要はなく、現在のリールのシンボル位置をモニターしながら、停止制御することも可能である。したがって、リールが一定の回転速度に達しなくても、リールの駆動の制御が可能となる。また、直接、帯状部の異なる領域の境界点の幅方向の位置がリールのシンボル位置に対応しているため、筐体が振動することにより実際の位置が検出された位置からずれても簡単に微調整できる。
【００２８】
また、帯状部の属性の異なる領域の境界点は、その長さ方向にそって、連続的な軌跡を有するため、精度よくリールのシンボル位置を検出することができる。
【００２９】
（７）また、本発明のメカニカルスロットマシンのシンボル位置検出器は、前記異なる属性は異なる明度、色度もしくは光透過度または帯磁度で定義されるものであって、かつ前記センサは前記異なる明度、色度もしくは光透過度または帯磁度をそれぞれ識別可能な光学センサまたは磁気センサであることを特徴としている。
【００３０】
これにより、属性が明度である場合には、たとえば白色の帯状部に黒色のインクにより明度が異なる領域のパターンを印刷するだけで、容易に本発明に係るシンボル位置検出器の帯状部を作製することができる。また、属性が色度である場合には、たとえば帯状部にカラーの塗料によりパターンを塗装するだけで、容易に本発明に係るシンボル位置検出器の帯状部を作製することができる。また、属性が光透過度である場合には、たとえば透明のプラスチックフィルムを材料とする帯状部に黒色のインクによりパターンを印刷するだけで、容易に本発明に係るシンボル位置検出器の帯状部を作製することができる。また、属性が帯磁度である場合には、帯状部自体が磁気を帯びているため、読み取り機能のみがあれば十分にセンサを構成することができる。
【００３１】
（８）また、本発明のメカニカルスロットマシンは、上記いずれかのメカニカルスロットマシンのシンボル位置検出器を備えたことを特徴としている。
【００３２】
このように、本発明のメカニカルスロットマシンにおいては、メカニカルスロットマシンのリールの回転軸を同心軸として回転するホイールの周縁部に沿って環状に帯状部を設けている。このような構造をとることにより、帯状部を回転させても、変形しないように強度を維持することができる。また、帯状部にスリットを設ける必要もないため、作製および取り扱いを容易にし、属性の異なる領域を作製するのを容易することができる。
【００３３】
また、上記のように、本発明では、帯状部の属性の異なる領域の境界が、帯状部の長さ方向に沿って帯状部の幅方向の一端側から他端側に漸次近接または離間することにより、帯状部の幅方向の境界点の位置を検出するだけで、リールを回転させることなく、リールのシンボル位置を特定することができる。したがって、基準位置となる部分を帯状部に設ける必要をなくすことができる。また、電源を入れた直後でもリールを回転させずに現在のリールのシンボル位置を検出することができる。また、シンボルの現在位置を検出する際に、帯状部の基準の位置と現在の位置との差から、リールのシンボル位置を算出する処理を不要とすることができる。また、現在のリールのシンボル位置を直接検出できるため、ステッピングモータのような緻密なモータの制御によりリールの停止位置を制御する必要はなく、現在のリールのシンボル位置をモニターしながら、停止制御することも可能である。したがって、リールが一定の回転速度に達しなくても、リールの駆動の制御が可能となる。また、直接、帯状部の異なる領域の境界点の幅方向の位置がリールのシンボル位置に対応しているため、筐体が振動することにより実際の位置が検出された位置からずれても簡単に微調整できる。
【００３４】
また、帯状部の属性の異なる領域の境界点は、その長さ方向にそって、連続的な軌跡を有するため、精度よくリールのシンボル位置を検出することができる。
【発明の効果】
【００３５】
本発明に係る帯状体によれば、帯状体を回転させても、変形しないように強度を維持することができる。また、帯状体として作製し、帯状体にスリットを設ける必要もないため、作製および取り扱いを容易にし、属性の異なる領域を作製するのを容易にすることができる。
【００３６】
また、帯状体の属性の異なる領域の幅方向の境界点の位置を検出するだけで、リールを回転させることなく、リールのシンボル位置を特定することができる。したがって、基準位置となる部分を帯状体に設ける必要をなくすことができる。また、電源を入れた直後でもリールを回転させずに現在のリールのシンボル位置を検出することができる。また、現在のリールのシンボル位置を検出する際に、帯状体の基準の位置と現在の位置との差から、リールのシンボル位置を算出する処理を不要とすることができる。また、現在のリールのシンボル位置を直接検出できるため、ステッピングモータのような緻密なモータの制御によりリールの停止位置を制御する必要はなく、現在のリールのシンボル位置をモニターしながら、停止制御することも可能である。したがって、リールが一定の回転速度に達しなくても、リールの駆動の制御が可能となる。また、直接、帯状体の異なる領域の境界点の幅方向の位置がリールのシンボル位置に対応しているため、筐体が振動することにより実際の位置が検出された位置からずれても簡単に微調整できる。
【００３７】
また、帯状体の属性の異なる領域の境界点は、その長さ方向にそって、連続的な軌跡を有するため、精度よくリールのシンボル位置を検出することができる。
【００３８】
また、本発明に係る帯状体によれば、属性が明度である場合には、たとえば白色の帯状体に黒色のインクにより明度が異なる領域のパターンを印刷するだけで、容易に本発明に係る帯状体を作製することができる。また、属性が色度である場合には、たとえば帯状体にカラーの塗料によりパターンを塗装するだけで、容易に本発明に係る帯状体を作製することができる。また、属性が光透過度である場合には、たとえば透明のプラスチックフィルムを材料とする帯状体に黒色のインクによりパターンを印刷するだけで、容易に本発明に係る帯状体を作製することができる。また、属性が帯磁度である場合には、帯状体自体が磁気を帯びているため、読み取り機能のみがあれば十分にセンサを構成することができる。
【００３９】
また、本発明に係る帯状体によれば、帯状部を回転させても、変形しないように強度を維持することができる。また、帯状部にスリットを設ける必要もないため、作製および取り扱いを容易にし、属性の異なる領域を作製するのを容易にすることができる。
【００４０】
また、帯状体の幅方向の境界点の位置を検出するだけで、リールを回転させることなく、リールのシンボル位置を特定することができる。したがって、基準位置となる部分を帯状体に設ける必要をなくすことができる。また、電源を入れた直後でもリールを回転させずに現在のリールのシンボル位置を検知することができる。また、シンボルの現在位置を検出する際に、帯状体の基準の位置と現在の位置との差から、リールのシンボル位置を算出する処理を不要とすることができる。また、現在のリールのシンボル位置を直接検出できるため、ステッピングモータのような緻密なモータの制御によりリールの停止位置を制御する必要はなく、現在のリールのシンボル位置をモニターしながら、停止制御することも可能である。したがって、リールが一定の回転速度に達しなくても、リールの駆動の制御が可能となる。
【００４１】
また、直接、帯状体の属性が異なる領域の境界点の幅方向の位置がリールのシンボル位置に対応しているため、筐体が振動することにより実際の位置が検出された位置からずれても簡単に微調整できる。
【００４２】
また、本発明の帯状体の境界点の、帯状体の幅方向の位置と長さ方向の位置とが一対一で対応するため、精度よくリールのシンボル位置を検出することができる。
【００４３】
また、本発明に係るメカニカルスロットマシンのシンボル位置検出器用ホイールによれば、ホイールを回転させても、変形しないように強度を維持することができる。また、帯状部にスリットを設ける必要もないため、作製および取り扱いを容易にし、属性の異なる領域を作製するのを容易にすることができる。
【００４４】
また、上記のように、本発明では、帯状部の属性の異なる領域の境界点が、帯状部の長さ方向に沿って帯状部の幅方向の一端側から他端側に漸次近接または離間することにより、帯状部の幅方向の境界点の位置を検出するだけで、リールを回転させることなく、リールのシンボル位置を特定することができる。したがって、基準位置となる部分を帯状部に設ける必要をなくすことができる。また、電源を入れた直後でもリールを回転させずに現在のリールのシンボル位置を検出することができる。また、現在のリールのシンボル位置を検出する際に、帯状部の基準の位置と現在の位置との差から、リールのシンボル位置を算出する処理を不要とすることができる。また、現在のリールのシンボル位置を直接検出できるため、ステッピングモータのような緻密なモータの制御によりリールの停止位置を制御する必要はなく、現在のリールのシンボル位置をモニターしながら、停止制御することも可能である。したがって、リールが一定の回転速度に達しなくても、リールの駆動の制御が可能となる。また、直接、帯状部の異なる領域の境界点の幅方向の位置がリールのシンボル位置に対応しているため、筐体が振動することにより実際の位置が検出された位置からずれても簡単に微調整できる。
【００４５】
また、帯状部の属性の異なる領域の境界点は、その長さ方向にそって、連続的な軌跡を有するため、精度よくリールのシンボル位置を検出することができる。
【００４６】
また、本発明に係るメカニカルスロットマシンのシンボル位置検出器用ホイールによれば、属性が明度である場合には、たとえば白色の帯状部に黒色のインクにより明度が異なる領域のパターンを印刷するだけで、容易に本発明に係るシンボル位置検出器用ホイールの帯状部を作製することができる。また、属性が色度である場合には、たとえば帯状部にカラーの塗料によりパターンを塗装するだけで、容易に本発明に係るシンボル位置検出器用ホイールの帯状部を作製することができる。また、属性が光透過度である場合には、たとえば透明のプラスチックフィルムを材料とする帯状部に黒色のインクによりパターンを印刷するだけで、容易に本発明に係るシンボル位置検出器用ホイールの帯状部を作製することができる。また、属性が帯磁度である場合には、帯状部自体が磁気を帯びているため、読み取り機能のみがあれば十分にセンサを構成することができる。
【００４７】
また、本発明に係るメカニカルスロットマシンのシンボル位置検出器によれば、帯状部を回転させても、変形しないように強度を維持することができる。また、帯状部にスリットを設ける必要もないため、作製および取り扱いを容易にし、属性の異なる領域を作製するのを容易にすることができる。
【００４８】
また、帯状部の幅方向の境界点の位置を検出するだけで、リールを回転させることなく、リールのシンボル位置を特定することができる。したがって、基準位置となる部分を帯状部に設ける必要をなくすことができる。また、電源を入れた直後でもリールを回転させずに現在のリールのシンボル位置を検出することができる。また、現在のリールのシンボル位置を検出する際に、帯状部の基準の位置と現在の位置との差から、リールのシンボル位置を算出する処理を不要とすることができる。また、現在のリールのシンボル位置を直接検出できるため、ステッピングモータのような緻密なモータの制御によりリールの停止位置を制御する必要はなく、現在のリールのシンボル位置をモニターしながら、停止制御することも可能である。したがって、リールが一定の回転速度に達しなくても、リールの駆動の制御が可能となる。また、直接、帯状部の異なる領域の境界点の幅方向の位置がリールのシンボル位置に対応しているため、筐体が振動することにより実際の位置が検出された位置からずれても簡単に微調整できる。
【００４９】
また、帯状部の属性の異なる領域の境界点は、その長さ方向にそって、連続的な軌跡を有するため、精度よくリールのシンボル位置を検出することができる。
【００５０】
また、本発明に係るメカニカルスロットマシンのシンボル位置検出器によれば、属性が明度である場合には、たとえば白色の帯状部に黒色のインクにより明度が異なる領域のパターンを印刷するだけで、容易に本発明に係るシンボル位置検出器の帯状部を作製することができる。また、属性が色度である場合には、たとえば帯状部にカラーの塗料によりパターンを塗装するだけで、容易に本発明に係るシンボル位置検出器の帯状部を作製することができる。また、属性が光透過度である場合には、たとえば透明のプラスチックフィルムを材料とする帯状部に黒色のインクによりパターンを印刷するだけで、容易に本発明に係るシンボル位置検出器の帯状部を作製することができる。また、属性が帯磁度である場合には、帯状部自体が磁気を帯びているため、読み取り機能のみがあれば十分にセンサを構成することができる。
【００５１】
また、本発明に係るメカニカルスロットマシンによれば、帯状部を回転させても、変形しないように強度を維持することができる。また、帯状部にスリットを設ける必要もないため、作製および取り扱いを容易にし、属性の異なる領域を作製するのを容易することができる。
【００５２】
また、帯状部の幅方向の境界点の位置を検出するだけで、リールを回転させることなく、リールのシンボル位置を特定することができる。したがって、基準位置となる部分を帯状部に設ける必要をなくすことができる。また、電源を入れた直後でもリールを回転させずに現在のリールのシンボル位置を検出することができる。また、シンボルの現在位置を検出する際に、帯状部の基準の位置と現在の位置との差から、リールのシンボル位置を算出する処理を不要とすることができる。また、現在のリールのシンボル位置を直接検出できるため、ステッピングモータのような緻密なモータの制御によりリールの停止位置を制御する必要はなく、現在のリールのシンボル位置をモニターしながら、停止制御することも可能である。したがって、リールが一定の回転速度に達しなくても、リールの駆動の制御が可能となる。また、直接、帯状部の異なる領域の境界点の幅方向の位置がリールのシンボル位置に対応しているため、筐体が振動することにより実際の位置が検出された位置からずれても簡単に微調整できる。
【００５３】
また、帯状部の属性の異なる領域の境界点は、その長さ方向にそって、連続的な軌跡を有するため、精度よくリールのシンボル位置を検出することができる。
【発明を実施するための最良の形態】
【００５４】
以下に、本発明を実施するための最良の形態に関し、図面に基づいて説明する。
【実施例】
【００５５】
図１は、本発明に係るメカニカルスロットマシンの斜視図である。図１において、メカニカルスロットマシン１は、筐体２と、この筐体２の前面に開閉自在に取り付けられる前面パネル３とから構成される。前面パネル３の背後には、例えば３列にシンボルを表示するシンボル表示部７が設けられている。
【００５６】
たとえば、シンボル表示部７は、列方向（遊技機の上下方向）にシンボルを変動表示および停止表示させるリールを３つ有している。各リールによって種々のシンボルを変動表示または停止表示することが可能である。
【００５７】
また、筐体２の前面にはメダル投入口１０と、投入したメダルが詰まった等の場合に、メダルを返却するメダル返却ボタン１０ａとが設けられている。スタートレバー１１は、シンボル表示部７の回転表示（変動表示）を開始させる操作を行なうレバーである。
【００５８】
このメカニカルスロットマシン１によるゲームは、遊技者がＢＥＴ操作によって有効な入賞ラインを特定することによって開始される。入賞ラインは、例えば、横中央ライン、横上下ライン、および斜めラインなど複数の設定が可能となっている。また、ＢＥＴ操作は、後述するメダル投入口１０にメダルを投入するか、または貯留メダル投入ボタン２１によって貯留しているメダルをＢＥＴすることによって行われる。また、これらのＢＥＴ操作を併用することによってもＢＥＴは可能となっている。
【００５９】
遊技者によるＢＥＴ操作によって入賞ラインが特定され、スタートレバー１１が操作されると、シンボル表示部７がシンボルを変動表示させる。そして、予め定められた時間が経過すると、シンボル表示部７は、順次変動表示しているシンボルを停止表示する。停止順序は、例えば、シンボル表示部７に向かって左から順に所定の時間間隔をもって停止する。この停止時にいずれかの入賞ライン上に所定のシンボルの組み合わせが表示されると、そのシンボルの組み合わせに応じた入賞が得られる。
【００６０】
また、前面パネル３の下方には、メダル払い出し口１５とメダル受皿１６とが設けられ、前面パネル３の上方には、ゲームの演出のために駆動する遊技演出表示器１７が設けられている。遊技演出表示器１７は、例えば、ＬＣＤ（液晶ディスプレイ）または各種ランプ類から構成される。本実施の形態では、ＬＣＤを採用した例を示す。また、前面パネル３の上方には、ボーナスゲーム表示器１８が設けられている。ボーナスゲーム表示器１８は、ＬＥＤ（発光ダイオード）で構成され、遊技者に高い遊技価値を付与するボーナス賞の当選または入賞、ゲームの演出、エラー発生時を表示する。スピーカ１９は、音声案内、音楽、効果音等を発生させる。なお、ボーナス賞に入賞すると、例えば、勝率が１／３になるような、遊技者に有利なゲーム展開となる。
【００６１】
前面パネル３に設けられた複数のランプ２０は、点灯、消灯、または点滅することによって、メダル投入枚数（またはＢＥＴされたクレジット数）に応じて有効化された入賞ラインの表示、入賞の表示などのゲームに関する表示を行なう。また、貯留メダル投入ボタン２１は、図示しないメダル貯留装置に貯留（クレジット）されているメダルを所定の枚数だけ使用するボタンであり、貯留メダル投入ボタン２２は、図示しないメダル貯留装置に貯留されているメダルを最大規定枚数使用するためのボタンである。メダル貯留枚数表示部２３は、図示しないメダル貯留装置に貯留されているメダルの枚数を表示する。入賞回数表示部２４は、ボーナス賞の入賞の際に入賞回数や残り回数などを表示する。メダル払い出し枚数表示部２５は、メダル払い出し枚数などを表示する。メダル貯留枚数表示部２３、入賞回数表示部２４およびメダル払い出し枚数表示部２５は、例えば、ＬＥＤで構成されている。精算ボタン２６は、貯留されているメダルの精算を行い、施錠装置２７は、回す方向によって、ドアの解錠を行なう。ラベル２８には、メカニカルスロットマシン１の形式やメーカー名などが記載される。
【００６２】
図２は、本実施の形態に係るメカニカルスロットマシンの電気的構成を示す図である。図２に示すように、メカニカルスロットマシン１は、電気的にメイン基板Ａとサブ基板Ｂとから構成される。メイン基板Ａにおいて、ＣＰＵ３０は、ＲＯＭ３１およびＲＡＭ３２を備え、予め設定されたプログラムに従って制御動作を行なう。ＲＯＭ３１には、メカニカルスロットマシン１の動作を制御する制御プログラムの他、賞群の事前決定（内部抽選）を行なうために使用する賞群抽選テーブルなどが格納されている。
【００６３】
また、ＣＰＵ３０には、基準クロックパルスを発生するクロック発生回路３３と、一定の乱数を発生させる乱数発生回路３４とが接続されている。ＣＰＵ３０、ＲＯＭ３１、ＲＡＭ３２、および乱数発生回路３４は抽選装置を構成する。ＣＰＵ３０から送出される制御信号は、出力ポート３５を介して、メダルの払い出しを行なうメダル払い出し装置３６と、シンボル表示部７のリールユニットを制御するリールユニット制御部７０とに出力される。シンボル表示部７およびリールユニット３７は、表示部を構成する。
【００６４】
また、メダルの適否を判別するメダル判別装置３８、払い出すメダル数をカウントする払い出しメダルカウンタ４０、およびリールの回転を開始させるスタートレバー４１から出力された信号は、入力ポート４３を介してＣＰＵ３０に入力される。ＣＰＵ３０から出力される信号は、サブ基板Ｂへの信号送出タイミングを制御する送出タイミング制御回路４５からの制御を受けて、データ送出回路４６を介してサブ基板Ｂへ出力される。
【００６５】
サブ基板Ｂでは、データ送出回路４６から出力された信号はデータ入力回路４７に入力される。データ入力回路４７に入力された信号は、ＣＰＵ４８で処理される。ＣＰＵ４８には、基準クロックパルスを発生するクロック発生回路４９と、各種プログラムおよび画像データが記録されたＲＯＭ５０と、ＲＡＭ５１とが接続されている。画像に関するデータは、ＣＰＵ４８から画像処理等を行なう表示回路５２を介して液晶表示器５３に出力される。液晶表示器５３では、文字、静止画、動画等が表示される。また、音声に関するデータは、ＣＰＵ４８から音声処理等を行なうサウンドＬＳＩ５４を介してアンプ回路５６に出力される。サウンドＬＳＩ５４は、音声ＲＯＭ５５から必要な音声データを抽出して音声データの処理を行なう。アンプ回路５６で増幅等の処理を受けた音声データは、音声の調整を行なう音声調整回路５７を介してスピーカ５８に出力される。
【００６６】
図３は、本発明に係るメカニカルスロットマシンのリールユニット３７の斜視図である。たとえば、シンボル表示部７が３つのリールにより構成されている場合、各リールにつきリールユニットが構成され、それぞれ独立して回転または停止等の制御がなされる。リールユニット３７は、以下のように構成されている。まず、リール本体６２にはランプホルダ６３、モータ６４およびセンサ６５が固定されている。モータ６４は、ステッピングモータが用いられている。ただし、特にステッピングモータに限られずＤＣモータを用いてもよい。本発明においては、現在のリールのシンボル位置を直接検出できるため、ステッピングモータのような緻密なモータの制御によりリールの停止位置を制御する必要はなく、現在のリールのシンボル位置をモニターしながら、停止制御することも可能である。したがって、リールが一定の回転速度に達しなくても、リールの駆動の制御が可能となる。ランプホルダ６３には、ランプ６３ａが固定され、モータ６４には回転軸としてのシャフト６６が接続されている。シャフト６６には、リール６７およびホイール６８が固定されている。ホイール６８には、環状に曲げられて帯状体６９が固定されている。
【００６７】
このように、帯状体６９を位置検出に用いる際には環状にして、ホイール６８に固定して用いる。このような構造をとることにより、帯状体６９を回転させても、変形しないように強度を維持することができる。また、帯状体６９として作製し、帯状体にスリットを設ける必要もないため、作製および取り扱いを容易にし、属性の異なる領域を作製するのを容易にすることができる。
【００６８】
図４は、本発明に係るメカニカルスロットマシンのリールユニット３７を図３に示す矢印Ｃの方向から見たときの側面図である。図４に示すように、ランプホルダ６３は、背面からリール６７のシンボルに照明を当ててシンボルを見易くすることができるように、シンボル表示部７向きに設置されている。
【００６９】
センサ６５の発光部６５ａおよび受光部６５ｂは、帯状体６９の両面に対向するように設置されている。また、リール６７およびホイール６８は、両方とも回転軸としてのシャフト６６に接続されているため、回転の中心軸は同じである。帯状体６９は、環状に曲げられ、その両端が互いに接触するようにホイールに固定されている。なお、図４においては省略しているが、ランプ６３ａおよびセンサ６５は、コネクタおよび配線を通じて電気的にＣＰＵ３０に接続している。
【００７０】
図５は、本発明に係るメカニカルスロットマシンのリールユニット３７を分解したときの主要部分の斜視図である。帯状体６９は、ホイール６８に固定されていないときには、図５に示すように、その形状は矩形のシート状である。
【００７１】
図６は、本発明に係るメカニカルスロットマシンのリールユニット３７およびリールユニット制御部７０の電気的な構成を示すブロック図である。図６に示すように、メカニカルスロットマシンのリールユニット３７は、電気的にリールユニット制御部７０とランプ６３ａとモータ６４とセンサ６５から構成される。センサ６５は、発光部６５ａおよび受光部６５ｂから構成されている。リールユニット制御部７０は、ＣＰＵ３０、ＲＯＭ３１、ＲＡＭ３２、クロック発生回路３３および出力ポート３５から構成され、予め設定されたプログラムに従って制御動作を行なう。さらに、リールユニット制御部７０は記憶部７１およびシンボル特定部７２を備える。ＲＯＭ３１およびＲＡＭ３２から構成される記憶部７１には、リールのシンボル位置検出のためのプログラムの他、検出されたリールのシンボル位置を反映させて、モータ６４の動作を制御する制御プログラム、境界点の位置とシンボルを対応付けたデータがテーブル化されて格納されている。なお、境界点の位置に対応するのは、シンボル以外にもブランク（空白）部であってもよい。また、境界点の位置とシンボルを対応付けたデータは、必ずしもテーブルの形式で記憶されている必要はない。シンボル特定部７２は、プログラムにより検出した境界点の位置情報から、記憶部７１に格納されているテーブルを照会し、現在表示されているシンボルの特定を行なう。ここで、リールのシンボル位置とは、リールの個々のシンボルが特定の位置にある場合のリールの状態を指す。具体的には、センサ６５の位置で帯状体６９の境界点が幅方向にＸｐ、長さ方向にＹｐである場合にはリールのシンボル位置が特定される。
【００７２】
ＣＰＵ３０から送出される制御信号は、出力ポート３５を介してランプ６３ａ、モータ６４またはセンサ６５の発光部６５ａに出力される。また、センサ６５の受光部６５ｂおよび中央制御基板から出力された信号は、入力ポート４３を介してＣＰＵ３０に入力される。
【００７３】
上記のようなホイール６８、ホイール６８に固定された帯状部としての帯状体６９、センサ６５、記憶部７１およびシンボル特定部７２は、本発明に係るシンボル位置検出器を構成する。
【００７４】
上記のように本実施例では、ＣＰＵ３０等により構成されるリールユニット制御部７０は、リールのシンボル位置の検出およびシンボルの検出位置を反映させたリールユニットの動作制御等を行なう機能を有するが、リールユニットごとに制御基板を設け、リール本体に設置して、これらの機能をその制御基板に含めてもよい。その場合には、リールユニットごとの制御基板は、ＣＰＵ３０とリールユニット３７との間で信号を中継する役割も果たす。
【００７５】
図７は、センサ６５の斜視図である。センサ６５の発光部６５ａは、帯状体６９に光を照射する機能を有し、たとえば発光素子としてＬＥＤ等を備えている。一方、センサ６５の受光部６５ｂは、受光素子７５を備えており、受光素子７５の要素としてＰＴｒ（フォトトランジスタ）を用いている。受光素子７５の要素としては、その他、ＰＤ（フォトダイオード）、フォトＩＣまたは変調光フォトＩＣ等を用いることができる。受光素子７５は、受光を検知できる単位である要素が集合することにより構成されており、図７に示すように、センサの受光部は直線上に要素が並ぶ構成をとっている。単位長さあたりの要素の数は、一定であり、たとえば１６個／ｍｍである。センサ６５は、受光素子７５の要素の列の方向が帯状体６９の幅方向に一致するようにリール本体６２に設置されている。
【００７６】
図８は、本発明に係る帯状体６９ａの平面図である。対角線を境界に左側が黒色に着色されている。本実施例においては、属性は光透過度である。帯状体の材料には、透明のプラスチック等を用いることができる。属性が光透過度である場合には、たとえば透明のプラスチックフィルムを材料とする帯状体に黒色のインクによりパターンを印刷するだけで、容易に本発明に係る帯状体を作製することができる。なお、光を透過させるもので、表面への印刷等、遮光部分を作製することが可能なものであれば、同様に用いることができる。このように、帯状体６９ａは互いに異なる光透過度の領域を有している。図８に示すように、互いに異なる光透過度の領域の境界点は、帯状体６９ａの長さ方向について上側から下側に向かうにしたがい、帯状体６９ａの幅方向について左側から右側に漸次移動する。
【００７７】
これにより、帯状体の幅方向の境界点の位置を検出するだけで、リール６７を回転させることなく、リール６７のシンボル位置を特定することができる。したがって、基準位置となる部分を帯状体６９に設ける必要をなくすことができる。また、電源を入れた直後でもリール６７を回転させずに現在のリールのシンボル位置を検出することができる。また、シンボルの現在位置を検出する際に、帯状体６９ａの基準の位置と現在の位置との差から、リール６７のシンボル位置を算出する処理を不要とすることができる。また、直接、帯状体６９ａの光透過度の異なる領域の境界点の幅方向の位置がリール６７のシンボル位置に対応しているため、筐体が振動することにより実際の位置が検出された位置からずれても簡単に微調整できる。
【００７８】
また、帯状体６９ａの属性の異なる領域の境界点は、その長さ方向にそって、連続的な軌跡を有するため、精度よくリールのシンボル位置を検出することができる。以下、特にことわらない限り、帯状体が有する互いに異なる属性の領域の境界点を単に「境界点」という。
【００７９】
次に、以上のように構成された本実施の形態に係るメカニカルスロットマシンの動作について説明する。図９は、本実施の形態に係る遊技機の特徴的な動作を示すフローチャートである。
【００８０】
まず、遊技者の入力により、通常のゲーム開始操作が行われる（ステップＳ１）。ここでは、上記のように遊技者によるＢＥＴ操作によって入賞ラインが特定され、スタートレバー１１が操作される。
【００８１】
次に、第１から第３リールにおけるリール帯の停止番号用の乱数値を取得し（ステップＳ２）、入賞ラインを確定する（ステップＳ３）。次に、第１から第３リールの回転を開始する（ステップＳ４）。このとき、シンボル表示部７は、各リールの表示領域においてシンボルが回転し、変動している様子を表示する。回転の方向は、上から下でもよいし、下から上でもよい。なお、列方向だけでなく、行方向にリールを設け、左から右、または右から左に回転させてもよい。
【００８２】
次に、センサにより現在のリールのシンボル位置を検出する（ステップＳ５）。図１０に示すように、たとえば、ある境界点について幅方向の位置がＸｐにあるとすると、その長さ方向の位置はＹｐにあることが決まる。そして、Ｙｐは、リールのシンボル位置に対応するため、現在のリールのシンボル位置を直接検出できる。すなわち、境界点の幅方向の位置がＸｐは、リールのシンボル位置そのものと考えてよい。したがって、現在のリールのシンボル位置を検出する際に、帯状体の基準の位置と現在の位置との差から、リールのシンボル位置を算出するという従来は必須だった処理を不要とすることができる。また、記憶部７１に格納されている境界点について幅方向の位置とシンボルを対応付けたテーブルを照会することで、シンボル特定部７２は、現在表示されているシンボルを特定することができる。以下においても、センサが現在に検出している境界点をＸｐおよびＹｐで表わすものとする。このときのセンサの動作を以下に説明する。
【００８３】
図１１は、受光素子７５の一部を示す図である。図中の正方形は、受光素子７５を構成する要素を示している。図１１において、斜線で表されている受光素子は、帯状体を透過した光を受光していないものを表している。一方、白ぬきで表されている受光素子は、帯状体を透過した光を受光しているものを表している。
【００８４】
図１１に示すように、ｎ番目までの受光素子は、受光しておらず、ｎ+１番目からの受光素子が受光しているとすると、受光素子７５の中の単位長さあたりの要素の設置数は一定であるため、境界点の幅方向の位置を検出できることになる。たとえば、受光素子７５の単位長さあたりの要素の個数が１６個／ｍｍであり、要素の個数が１２８個で、受光素子の長さが８．００ｍｍであった場合に、受光素子７５が検出したｎが５０であれば、Ｘｐは３．１３ｍｍとなる。このような処理は、リールユニット制御部７０により行なわれる。
【００８５】
次に、モータへ現在検出されている境界点の位置から停止すべき境界点の位置まで駆動させ、停止すべき境界点の位置で停止させるための信号を送信する（ステップＳ６）。次に、上記のリールユニット制御部７０から送信された信号に基づき、第１から第３リールの回転を順次停止させる（ステップＳ７）。ここでは、第１リールから第３リールへ向けて所定の時間間隔をもって順次停止することとする。時間間隔は、例えば、０．５秒とすることができる。
【００８６】
たとえば、図１２に示すように、★シンボルを表示位置Ｄに止めようとする場合には、センサの位置Ｅにおいて、★シンボルを代表する帯状体の境界点の長さ方向の位置Ｙｓでリールの回転を停止するようにモータを制御する。ここで、★シンボルは、境界点の長さ方向の位置がＹａからＹｂまで、幅方向の位置がＸａからＸｂまでに対応し、ＹａとＹｂの中間位置ＹｓおよびＸａとＸｂの中間位置Ｘｓをその★シンボルの代表値であるとする。そのような対応関係は、あらかじめテーブルとしてＲＡＭ３２により構成される記憶部に記憶されている。なお、図１２のリール６７においては、★以外のシンボルは省略して表している。
【００８７】
次に、センサ６５により現在のリールのシンボル位置を検出する（ステップＳ８）。具体的には、センサ６５の位置で帯状体６９ａの境界点の幅方向の位置Ｘｐを検出する。次に、検出された位置情報とあらかじめモータに送信した位置情報を照合する（ステップＳ９）、合致するか否かを判断する（ステップＳ１０）。具体的には、境界点の幅方向の位置Ｘｐが★シンボルに対応する幅方向の位置ＸａからＸｂの範囲内にあるか否かを判断する。その範囲内になければ、エラー表示し（ステップＳ１１）、マシンをロックする（ステップＳ１２）。なお、停止したシンボルの位置が表示すべき位置からずれている場合には、これをＣＰＵ３０の制御により修正することとしてもよい。ＸｐがＸａからＸｂの範囲内にあれば、ステップ１３に進む。次に、入賞が成立したか否かを判断する（ステップＳ１３）。入賞が成立しなかったときは、そのままゲーム開始待機状態へリターンする。一方、入賞があれば、入賞の配当としてメダル貯留枚数（クレジット）が加算される（ステップＳ１４）。そして、ゲーム開始待機状態へリターンする。
【００８８】
（変形例）
なお、上記の実施例においては、図８に示すように対角線を境界にして左側が黒色に着色されている帯状体６９ａを用いているが、たとえば図１３から図１７に示すような帯状体を用いてもよい。図１３は、長さ方向に対して傾きのある直線を境界にして左側が黒色に着色されている帯状体６９ｂの平面図である。図１４は、境界が曲線的に描かれている帯状体６９ｃの平面図である。図１５は、対角線のみが黒色に着色されている帯状体６９ｄの平面図である。この場合には、直線の両側に境界が２つ存在するため、あらかじめ一方の境界上の境界点のみ検出するように、プログラムを作成する必要がある。図１６は、図８に示すような帯状体に対して一定の長さを境界にして黒色部分と透明部分が反転した帯状体６９ｅの平面図である。図１７は、図８に示すような帯状体を一定の長さで切断し入れ替えて再度接続したようなパターンを有する帯状体６９ｆの平面図である。この場合には、境界点は、帯状体６９ｆの幅方向の位置と長さ方向の位置とが一対一で対応する。
【００８９】
このような帯状体についても、上記の図８に示すような帯状体６９ａと同様の効果を得ることができる。すなわち、境界点の位置を検出するだけで、リール６７を回転させることなく、リール６７のシンボル位置を特定することができる。したがって、基準位置となる部分を帯状体に設ける必要をなくすことができる。また、電源を入れた直後でもリール６７を回転させずに現在のリールのシンボル位置を検知することができる。また、シンボルの現在位置を検出する際に、帯状体６９の基準の位置と現在の位置との差から、リール６７のシンボル位置を算出する処理を不要とすることができる。
【００９０】
また、直接、境界点の幅方向の位置がリールのシンボル位置に対応しているため、筐体が振動することにより実際の位置が検出された位置からずれても簡単に微調整できる。
【００９１】
また、境界点の帯状体６９の幅方向の位置と長さ方向の位置とが一対一で対応するため、精度よくリールのシンボル位置を検出することができる。
【００９２】
また、上記の実施例では、帯状体６９を環状に変形してホイールに固定しているが、ホイール自体に帯状部を設け、帯状部に上記の帯状体６９を環状にしたときと同様のパターンを作成することで同様の効果を得ることができる。
【００９３】
また、上記の実施例では、センサ６５は透過型の光学センサを用いたが、明度または色度の差を検出する反射型の光学センサ、または帯磁度を検出するセンサを用いてもよい。反射型の光学センサを用いる場合には、帯状体６９の回転軸側またはリール側のどちらか一方側のみにセンサ６５を設けることができる。発光素子としてＬＥＤ等、受光素子７５としてＰＴｒ等を用いることができるのは、上記の実施例と同様である。明度の差を検出するセンサを用いる場合には、帯状体６９としては、たとえば白色のプラスチックに黒色の印刷を施したものを用いることができる。このように、属性が明度である場合には容易に本発明に係る帯状体を作製することができる。一方、色度の差を検出するセンサを用いる場合には、たとえば帯状体６９としては、黄色のプラスチックに青色の塗料によるコーティングを施したものを用いることができる。このように、属性が色度である場合には容易に本発明に係る帯状体を作製することができる。
【００９４】
センサ６５に帯磁度を検出するセンサを用いる場合には、反射型の光学センサと同様に帯状体の回転軸側またはリール側のどちらか一方側のみにセンサを設けることができる。センサには、一般的な磁気テープや磁気カードの読み込みを行なう磁気センサを用いることができる。属性が帯磁度である場合には、帯状体自体が磁気を帯びているため、読み取り機能のみがあれば十分にセンサを構成することができる。帯状体６９としては、磁性粉を含むプラスチック等によるコーティングをした上で、一定の処理を行ない、一定の帯磁度を生じさせるパターンをコーティング部分に記憶させたものを用いることができる。
【図面の簡単な説明】
【００９５】
【図１】本発明に係るメカニカルスロットマシンの斜視図である。
【図２】本実施の形態に係るメカニカルスロットマシンの電気的構成を示す図である。
【図３】本発明に係るメカニカルスロットマシンのリールユニットの斜視図である。
【図４】本発明に係るメカニカルスロットマシンのリールユニットを図３に示す矢印Ａの方向から見たときの側面図である。
【図５】本発明に係るメカニカルスロットマシンのリールユニットを分解したときの主要部分の斜視図である。
【図６】本発明に係るメカニカルスロットマシンのリールユニットおよびリールユニット制御部の電気的な構成を示すブロック図である。
【図７】センサの斜視図である。
【図８】本発明に係る帯状体の平面図である。
【図９】本実施例に係る遊技機の特徴的な動作を示すフローチャートである。
【図１０】ある境界点の位置を示す帯状体の平面図である。
【図１１】受光素子の一部を示す図である。
【図１２】リールユニットの動作を説明する図である。
【図１３】長さ方向に対して傾きのある直線を境界にして左側が黒色に着色されている帯状体の平面図である。
【図１４】境界が曲線的に描かれている帯状体の平面図である。
【図１５】対角線のみが黒色に着色されている帯状体の平面図である。
【図１６】図８に示すような帯状体について一定の長さを境界にして黒色部分と透明部分が反転した帯状体の平面図である。
【図１７】図８に示すような帯状体を一定の長さで切断し入れ替えて再度接続したようなパターンを有する帯状体の平面図である。
【符号の説明】
【００９６】
１  メカニカルスロットマシン
２  筐体
３  前面パネル
７  シンボル表示部
１０  メダル投入口
１０ａ  メダル返却ボタン
１１  スタートレバー
１３  ステップ
１５  メダル払い出し口
１６  メダル受皿
１７  遊技演出表示器
１８  ボーナスゲーム表示器
１９  スピーカ
２０  ランプ
２１  貯留メダル投入ボタン
２２  貯留メダル投入ボタン
２３  メダル貯留枚数表示部
２４  入賞回数表示部
２５  枚数表示部
２６  精算ボタン
２７  施錠装置
２８  ラベル
３３  クロック発生回路
３４  乱数発生回路
３５  出力ポート
３６  メダル払い出し装置
３７  リールユニット
３８  メダル判別装置
４０  メダルカウンタ
４１  スタートレバー
４３  入力ポート
４５  送出タイミング制御回路
４６  データ送出回路
４７  データ入力回路
４９  クロック発生回路
５２  表示回路
５３  液晶表示器
５６  アンプ回路
５７  音声調整回路
５８  スピーカ
６２  リール本体
６３  ランプホルダ
６３ａ  ランプ
６４  モータ
６５  センサ
６５ａ  発光部
６５ｂ  受光部
６６  シャフト
６７  リール
６８  ホイール
６９  帯状体
７０  リールユニット制御部
７１  記憶部
７２  シンボル特定部
７５  受光素子
Ａ  メイン基板
Ｂ  サブ基板
【図１】
2005177340.tif 000003
【図２】
2005177340.tif 000004
【図３】
2005177340.tif 000005
【図４】
2005177340.tif 000006
【図５】
2005177340.tif 000007
【図６】
2005177340.tif 000008
【図７】
2005177340.tif 000009
【図８】
2005177340.tif 000010
【図９】
2005177340.tif 000011
【図１０】
2005177340.tif 000012
【図１１】
2005177340.tif 000013
【図１２】
2005177340.tif 000014
【図１３】
2005177340.tif 000015
【図１４】
2005177340.tif 000016
【図１５】
2005177340.tif 000017
【図１６】
2005177340.tif 000018
【図１７】
2005177340.tif 000019